(57)【要約】【課題】ベース板を取外し可能な構造にして任意の形状やデザインのものに交換できるモバイルリングホルダーを提供する。【解決手段】モバイルリングホルダー１１は、スマートフォンの背面に貼着する接着面１３ａを一方側１４ａに有する接着パッド部１４と、接着パッド部の他方側１４ｂを取り付けると共に貫通孔１５を備える基板部１６と、基板部の上部に被せる状態で取り付けるベース板１７と、貫通孔に重合する孔部１８を備える取付部材１９と、取付部材に保持されるリング部２０と、取付部材の孔部に挿着する雌型ピン２１と、基板部の下部側から貫通孔に挿入して雌型ピンと嵌合する雄型ピン２２とからなる構成である。【選択図】図３
0003222680.tif 000002
【実用新案登録請求の範囲】
【請求項１】
モバイル機器の背面に貼着し、使用者がリング部に指を挿入して使用するモバイルリングホルダーであって、
該モバイルリングホルダーは、
前記モバイル機器の背面に貼着する接着面を一方側に有する接着パッド部と、
該接着パッド部の他方側を取り付けると共に貫通孔を備える基板部と、
該基板部の上部に被せる状態で取り付けるベース板と、
前記貫通孔に重合する孔部を備える取付部材と、
該取付部材に保持される前記リング部と、
前記取付部材の前記孔部に挿着する雌型ピンと、
前記基板部の下部側から前記貫通孔に挿入して前記雌型ピンと嵌合する雄型ピンとから少なくともなり、
前記ベース板は、前記取付部材に対して取付取外し自在な構成であること
を特徴とするモバイルリングホルダー。
【請求項２】
前記基板部は、前記貫通孔の周囲に突状部が形成され、
前記ベース板は、その側部に前記突状部を囲繞するＵ溝部が形成されていると共に、その底部に前記基板部の縁部に係止する係止片が設けられていること
を特徴とする請求項１に記載のモバイルリングホルダー。
【考案の詳細な説明】
【技術分野】
【０００１】
本考案は、スマートフォンやタブレット等のモバイル機器の背面に貼着し、使用者がリング部に指を挿入して使用するモバイルリングホルダーに関するものである。
【背景技術】
【０００２】
従来、この種のモバイルリングホルダーとしては、次のような構成のものが知られている。このモバイルリングホルダーは、保護シートと、接着パッドと、基板と、飾板とが重畳した状態で設けられており、飾板には取付金具を介してＵ字枠が設けられ、Ｕ字枠に指掛けリングが取り付けられた構成である（特許文献１参照）。
【０００３】
このような構成のモバイルリングホルダーは、スマートフォンの背面に貼着して使用し、使用者がスマートフォンの裏面側を手で把持すると共に、リングに指を挿入することで、スマートフォンの不用意な落下を防止して、安定した状態で操作を行うことができるのである。
【先行技術文献】
【特許文献】
【０００４】
【特許文献１】実用新案登録第３２１５９２２号公報
【考案の概要】
【考案が解決しようとする課題】
【０００５】
この従来例のモバイルリングホルダーにおいては、基板と飾板とが重畳した状態で固着されており、また、飾板には取付金具を介してＵ字枠が固定状態に設けられているので、飾板を容易に取り外すことができない。
つまり、飾板を他の形状やデザインのものに自由に交換することが困難であるという問題点を有している。
また、飾板を取り外して全面に印刷やデザインを施すことができないという問題点も有している。
【０００６】
従って、従来例におけるモバイルリングホルダーにおいては、飾板を取り外し自在な構造にして、使用者の好みの形状やデザインのものに交換できるようにすることと、取り外した飾板の全面に印刷やデザインを施せる仕組みにすることとに解決しなければならない課題を有している。
【課題を解決するための手段】
【０００７】
前記従来例の課題を解決するための本考案の要旨は、モバイル機器の背面に貼着し、使用者がリング部に指を挿入して使用するモバイルリングホルダーであって、該モバイルリングホルダーは、前記モバイル機器の背面に貼着する接着面を一方側に有する接着パッド部と、該接着パッド部の他方側を取り付けると共に貫通孔を備える基板部と、該基板部の上部に被せる状態で取り付けるベース板と、前記貫通孔に重合する孔部を備える取付部材と、該取付部材に保持される前記リング部と、前記取付部材の前記孔部に挿着する雌型ピンと、前記基板部の下部側から前記貫通孔に挿入して前記雌型ピンと嵌合する雄型ピンとから少なくともなり、前記ベース板は、前記取付部材に対して取付取外し自在な構成であることである。
【０００８】
また、前記基板部は、前記貫通孔の周囲に突状部が形成され、前記ベース板は、その側部に前記突状部を囲繞するＵ溝部が形成されていると共に、その底部に前記基板部の縁部に係止する係止片が設けられていることを含むものである。
【考案の効果】
【０００９】
本考案に係るモバイルリングホルダーによれば、ベース板が取付部材に対して取付取外し自在な構成であることによって、ベース板を使用者の好みの形状やデザインのものに自在に交換することができる。また、ベース板を取り外してその全面に印刷やデザインを施すことができるという優れた効果を奏する。
【００１０】
基板部は、貫通孔の周囲に突状部が形成され、ベース板は、その側部に突状部を囲繞するＵ溝部が形成されていると共に、その底部に基板部の縁部に係止する係止片が設けられていることによって、ベース板を基板部の上部に被せてから、係止片を基板部の縁部に係止させればベース板の取り付けが簡単に行える。
また、ベース板を持ち上げて係止片の係止を解除すれば、ベース板の取り外しが簡単に行えるという優れた効果を奏する。
【図面の簡単な説明】
【００１１】
【図１】本考案に係るモバイルリングホルダーの斜視図である。
【図２】同モバイルリングホルダーの斜視図である。
【図３】同モバイルリングホルダーの分解斜視図である。
【図４】同モバイルリングホルダーの分解斜視図である。
【図５】同モバイルリングホルダーの底面図である。
【図６】同モバイルリングホルダーの底面図である。
【図７】同モバイルリングホルダーの縦断面図である。
【図８】同モバイルリングホルダーの使用状態を示す斜視図である。
【図９】同モバイルリングホルダーの使用状態を示す斜視図である。
【考案を実施するための形態】
【００１２】
次に、本考案の実施の形態について図面を参照しながら説明する。まず、図１から図４において、符号１１はモバイルリングホルダーを示し、このモバイルリングホルダー１１は、スマートフォン１２の背面に貼着する接着面１３を一方側１４ａに有する接着パッド部１４と、接着パッド部１４の他方側１４ｂを取り付けると共に貫通孔１５を備える基板部１６と、基板部１６の上部に被せる状態で取り付けるベース板１７と、貫通孔１５に重合する孔部１８を備える取付部材１９と、取付部材１９に保持されるリング部２０と、取付部材１９の孔部１８に挿着する雌型ピン２１と、基板部１６の下部側から貫通孔１５に挿入して雌型ピン２１と嵌合する雄型ピン２２とから構成される。
【００１３】
接着パッド部１４は、一方側１４ａに接着面１３を有し、接着面１３の上部には図示しない剥離紙又は剥離用の保護シート等が貼着される。そして、剥離紙等を剥がしてスマートフォン１２の背面に貼着する（図８及び図９参照）。また、接着パッド部１４の他方側１４ｂが基板部１６の底部に取り付けられる。
【００１４】
基板部１６は、円形状を呈し、側部寄りの位置に貫通孔１５が形成されている。貫通孔１５の周囲には、膨出した状態の突状部２３が形成されている。
【００１５】
ベース板１７は、図１から図４に示すように、正方形状又は円形状に形成されており、その側部には、突状部２３を囲繞するＵ溝部２４が形成されている。
ベース板１７の縁部に沿った位置には、図５から図７に示すように、底部側に折り曲げた折曲げ部２５が形成されている。
また、ベース板１７の底部には、図５から図７に示すように、基板部１６の外周縁に沿った凸条部２６が形成されており、凸条部２６の適宜位置には、基板部１６の縁部１６ａに係止する係止片２７が複数箇所に形成されている。
【００１６】
取付部材１９は、基板部１６の貫通孔１５に重合する孔部１８が形成されている。また、取付部材１９の側部には、挿通孔２８が形成されており、挿通孔２８にはリング部２０の取付部２０ａが保持される。
【００１７】
リング部２０は、リング状に形成されると共に、その一部に柱状の取付部２０ａが形成されている。
【００１８】
雌型ピン２１は、図７に示すように、内側に凹部を有しており、取付部材１９の孔部１８に挿着される。
【００１９】
雄型ピン２２は、図７に示すように、凸部を有しており、基板部１６の下部側から貫通孔１５に挿入して雌型ピン２１とカシメ合わせた状態で嵌合する仕組みになっている。
【００２０】
以上のように構成されるモバイルリングホルダー１１は、ベース板１７が取付部材１９に対して取付取外し自在な構成であることにより、ベース板１７を使用者の好みの形状やデザインのものに自在に交換することができる。各図においては、ベース板１７を正方形状又は円形状に示したが、これらの形に限定されないことは勿論である。
また、ベース板１７を取り外してその全面に印刷やデザインを施すことができる。
【００２１】
基板部１６は、貫通孔１５の周囲に突状部２３が形成され、ベース板１７は、その側部に突状部２３を囲繞するＵ溝部２４が形成されている。また、ベース板１７の底部に基板部１６の縁部１６ａに係止する係止片２７が設けられていることにより（図５及び図６参照）、ベース板１７を基板部１６の上部に被せてから、係止片２７を基板部１６の縁部１６ａに係止させればベース板１７の取り付けが簡単に行える。
また、ベース板１７を持ち上げて係止片２７の係止を解除すれば、ベース板１７の取り外しが簡単に行える。
【符号の説明】
【００２２】
１１  モバイルリングホルダー
１２  スマートフォン
１３  接着面
１４  接着パッド部
１４ａ  一方側
１４ｂ  他方側
１５  貫通孔
１６  基板部
１６ａ  縁部
１７  ベース板
１８  孔部
１９  取付部材
２０  リング部
２０ａ  取付部
２１  雌型ピン
２１ａ  雌ネジ
２２  雄型ピン
２２ａ  雄ネジ
２３  突状部
２４  Ｕ溝部
２５  折曲げ部
２６  凸条部
２７  係止片
２８  挿通孔
【図１】
0003222680.tif 000003
【図２】
0003222680.tif 000004
【図３】
0003222680.tif 000005
【図４】
0003222680.tif 000006
【図５】
0003222680.tif 000007
【図６】
0003222680.tif 000008
【図７】
0003222680.tif 000009
【図８】
0003222680.tif 000010
【図９】
0003222680.tif 000011